(57)【特許請求の範囲】
【請求項１】
ハカマ部材と、このハカマ部材に下端部が回動可能に取付けられた筒部材と、この筒部材内に上下移動可能に取付けられた口紅等を支持する皿部材と、前記ハカマ部材と前記筒部材とを持って回動させることにより、前記皿部材を上下移動させることができる、該ハカマ部材内に設けられた口紅等の上下移動機構と、前記筒部材の外周部に軸心方向にスライド移動可能で下端部が内部に入り込むように取付けられた開閉レバーと、この開閉レバーの上部に取付けられた常時付勢スプリングによって前記筒部材の開口部を覆うように付勢する開閉蓋と、この開閉蓋が閉状態では前記開閉レバーの係合片と係合し、開状態では係合片との係合が解除される前記ハカマ部材あるいは該ハカマ部材に固定される部材に形成された係合部とを備えることを特徴とする口紅等の収納容器。
【請求項２】
ハカマ部材と、このハカマ部材に下端部が回動可能に取付けられた筒部材と、この筒部材内に上下移動可能に取付けられた口紅等を支持する皿部材と、前記ハカマ部材と前記筒部材とを持って回動させることにより、前記皿部材を上下移動させることができる該ハカマ部材内に固定された固定部材、この固定部材と螺合して上下移動する前記筒部材内にスライド移動可能に取付けられた可動部材とからなる口紅等の上下移動機構と、前記筒部材の外周部に軸心方向にスライド移動可能で下端部が内部に入り込むように取付けられた開閉レバーと、この開閉レバーの上部に取付けられた常時付勢スプリングによって前記筒部材の開口部を覆うように付勢する開閉蓋と、前記口紅等の上下移動機構の固定部材の外周部に形成されたねじ部と、前記ハカマ部材と前記筒部材とを持って回動させると前記開閉レバーを開閉蓋の閉状態から開状態へスライド移動させる該開閉レバーに取付けられた前記ねじ部と螺合する螺合片とを備えることを特徴とする口紅等の収納容器。
【発明の詳細な説明】
【０００１】
【発明の属する技術分野】
本発明は口紅、リップクリーム、スチックアイシャドウ、スチックファンデーション等の棒状化粧品を収納する口紅等の収納容器に関する。
【０００２】
【従来の技術】
従来の口紅収納容器はハカマ部材と筒部材とを持って回動させることにより、該筒部材内に収納された口紅を筒部材の上端部より出没させる構造を用いており、不使用時にはハカマ部材のキャップ嵌合部と嵌合する筒部材の外周部を覆う筒状のキャップを用いている。
【０００３】
【発明が解決しようとする課題】
従来の口紅収納容器はハカマ部材のキャップ嵌合部に着脱可能に嵌合する筒状のキャップを用いているので、使用時にキャップを取り外すため、その置き場に苦労したり、使用後にキャップを見つけるのに苦労したりするという欠点があった。
【０００４】
本発明は以上のような従来の欠点に鑑み、口紅等が出没する開口部を開閉することができる開閉蓋を筒部材から外れることなく、開閉できるようにして、キャップを外して使用する容器の不具合を解消するとともに、開閉蓋が開放状態にならない場合には筒部材の回動が不能で、口紅等の出没を阻止して安全に使用することができる口紅等の収納容器を提供することを目的としている。
【０００５】
本発明の前記ならびにそのほかの目的と新規な特徴は次の説明を添付図面と照し合せて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はハカマ部材と、このハカマ部材に下端部が回動可能に取付けられた筒部材と、この筒部材内に上下移動可能に取付けられた口紅等を支持する皿部材と、前記ハカマ部材と前記筒部材とを持って回動させることにより、前記皿部材を上下移動させることができる、該ハカマ部材内に設けられた口紅等の上下移動機構と、前記筒部材の外周部に軸心方向にスライド移動可能で下端部が内部に入り込むように取付けられた開閉レバーと、この開閉レバーの上部に取付けられた常時付勢スプリングによって前記筒部材の開口部を覆うように付勢する開閉蓋と、この開閉蓋が閉状態では前記開閉レバーの係合片と係合し、開状態では係合片との係合が解除される前記ハカマ部材あるいは該ハカマ部材に固定される部材に形成された係合部とで口紅等の収納容器を構成している。
【０００７】
【発明の実施の形態】
以下、図面に示す実施の形態により、本発明を詳細に説明する。
【０００８】
図１ないし図５の本発明の第１の実施の形態において、１はハカマ部材で、このハカマ部材１は下端部が閉塞された筒状に形成されている。
【０００９】
２は前記ハカマ部材１に回動可能に取付けられた筒部材で、この筒部材２の上端部は傾斜面３に形成され、下端部は前記ハカマ部材１の上端部を回動可能に覆うスカート状のスカート部４が形成されている。
【００１０】
５は前記筒部材２内に上下移動可能に取付けられた口紅６を支持する皿部材で、この皿部材５の外周部には前記筒部材２の内壁面に形成された軸心方向のガイド溝７と係合する係合片８が形成されている。
【００１１】
９は前記ハカマ１と前記筒部材２とを持って回動させることにより、前記口紅６を該筒部材２の上部開口部２ａより出没させる口紅等の上下移動機構で、この口紅等の上下移動機構９は前記ハカマ部材１内に嵌合固定された上部内壁面にねじ部１０、上部外壁面に前記筒部材２の内壁面に形成した係合片１１と係合するリング状の係合溝１２が形成された筒状の固定部材１３と、この固定部材１３のねじ部１０と螺合される前記皿部材５の底面中央部に形成された可動部材としてのねじ棒１４とで構成されている。
【００１２】
１５は前記筒部材２の上端部が低い部位の外周部を軸心方向にスライド移動する開閉レバーで、この開閉レバー１５の上端部には前記筒部材２の開口部２ａを開閉する常時付勢スプリング１６で閉方向に付勢された開閉蓋１７が取付けられ、下端部は前記筒部材２のスカート部４に形成された挿入孔１８を通過して前記ハカマ部材１内に位置し、前記開閉蓋１７が閉状態では前記口紅等の上下移動機構９の固定部材１３の外周部に形成した歯車状の係合部１９と係合し、開閉蓋１７の開状態では係合解除状態となる係合部２０が形成されている。
【００１３】
上記構成の口紅収納容器２１は筒部材２の開口部２ａを開閉蓋１７で閉じている場合、図３に示すように開閉レバー１５の係合部２０が口紅等の上下移動機構９の固定部材１３の係合部１９と係合している。
このため、ハカマ部材１と筒部材２とを持って回動させても回動が不能で、筒部材２内の口紅６の出没ができない。
【００１４】
使用する場合には開閉レバー１５を下方へスライド移動させると、図５に示すように開閉蓋１７が付勢スプリング１６の付勢力に抗して回動し、開口部２ａを開放するとともに、開閉レバー１５の係合部２０が口紅等の上下移動機構９の固定部材１３の係合部１９との係合が解除される。
【００１５】
この状態で、ハカマ部材１と筒部材２とを持って回動させることにより、筒部材２内の口紅６を支持している皿部材５が上下方向に移動し、開口部２ａより口紅６を出没させることができる。
【００１６】
収納状態にする場合にはハカマ部材１と筒部材２とを回動させ、口紅６を筒部材２内に収納した後、開閉レバー１５を上方へスライド移動させることにより、図３に示す状態となり、開閉蓋１７で開口部２ａを閉じるとともに、係合部２０と係合部１９と我係合し、回動不能状態となる。
【００１７】
【発明の異なる実施の形態】
次に、図６ないし図１３に示す本発明の異なる実施の形態につき説明する。なお、これらの本発明の異なる実施の形態の説明に当たって、前記本発明の第１の実の形態と同一構成部分には同一符号を付して重複する説明を省略する。
【００１８】
図６ないし図８の本発明の第２の実施の形態において、前記本発明の第１の実施の形態と主に異なる点は、口紅等の上下移動機構９の固定部材１３Ａに傾斜面で形成した係合部１９Ａを形成するとともに、開閉レバー１５の下端部に該係合部１９Ａと係合する係合片状の係合部２０Ａを形成した点で、このように構成した口紅収納容器２１Ａにしても、前記本発明の第１の実施の形態と同様な作用効果が得られるとともに、固定部材１３Ａを安価に製造することができる。
【００１９】
図９ないし図１３の本発明の第３の実施の形態において、前記本発明の第１の実施の形態と主に異なる点は、ハカマ部材１と筒部材２とを回動させると自動的に開閉蓋１７を開閉できるように口紅等の上下移動機構９の固定部材１３Ｂにウオーム状のねじ部２２を形成するとともに、開閉レバー１５Ａに前記ねじ部２２と螺合する螺合片２３を設けた点で、このように構成した口紅収納容器２１Ｂにしてもよい。
【００２０】
なお、前記螺合片２３は開閉レバー１５Ａにほぼ中央部が枢支ピン２４で枢支され、先端部に前記ねじ部２２と螺合する螺合部２５が形成され、後端部に前記開閉レバー１５Ａに形成した透孔２６より外方に突出する付勢バネ２７で付勢された操作釦２８が形成されている。
【００２１】
このため、ハカマ部材１と筒部材２との回動ではねじ部２２と螺合部２５の螺合によって螺合片２３を介して開閉レバー１５Ａを下げて口紅を上昇させることができ、該開閉レバー１５Ａが下がり切った所でねじ部２２と螺合部２５の螺合が解除される。
この状態でハカマ部材１と筒部材２とを回動させることにより口紅を上昇させることができる。この時、開閉レバー１５Ａは移動することがない。
【００２２】
次に口紅６を収納する場合、ハカマ部材１と筒部材２とを逆方向に回動させることにより口紅を下降させる。
しかる後、操作釦２８を押し付け、開閉レバー１５Ａを上方にスライド移動させることにより、螺合部２５がねじ部２２を乗り越えて上方に移動し、開閉蓋１７で筒部材２の開口部を閉じることができる。
【００２３】
前記本発明の各実施の形態では口紅を収納する口紅収納容器について説明したが、本発明はこれに限らず、リップクリーム、スチックアイシャドウ、スチックファンデーション等の棒状化粧品を収納しても同様な作用効果が得られる。
【００２４】
また、本発明の各実施の形態では皿部材にねじ棒を形成した口紅等の上下移動機構を用いるものについて説明したが、本発明はこれに限らず、固定部材にねじ棒を形成したものや、現在使用されているねじ棒を用いた口紅等の上下移動機構であれば、どんな構造のものであってもよい。
【００２５】
【発明の効果】
以上の説明から明らかなように、本発明にあっては次に列挙する効果が得られる。
【００２６】
（１）ハカマ部材と、このハカマ部材に下端部が回動可能に取付けられた筒部材と、この筒部材内に上下移動可能に取付けられた口紅等を支持する皿部材と、前記ハカマ部材と前記筒部材とを持って回動させることにより、前記皿部材を上下移動させることができる、該ハカマ部材内に設けられた口紅等の上下移動機構と、前記筒部材の外周部に軸心方向にスライド移動可能で下端部が内部に入り込むように取付けられた開閉レバーと、この開閉レバーの上部に取付けられた常時付勢スプリングによって前記筒部材の開口部を覆うように付勢する開閉蓋と、この開閉蓋が閉状態では前記開閉レバーの係合片と係合し、開状態では係合片との係合が解除される前記ハカマ部材あるいは該ハカマ部材に固定される部材に形成された係合部とで構成されているので、開閉レバーを操作して開閉蓋を開放状態にしなければ、ハカマ部材と筒部材との回動が不能となり、不必要な口紅等の出没を阻止することができ、口紅等の損傷を防止することができる。
【００２７】
（２）前記（１）によって、開閉蓋を開放すれば従来と同様な操作で使用できるので、楽に使用することができるとともに、開閉蓋が容器より外れないので、見失ったり、置き場所に困ったりする不具合を防止することができる。
【００２８】
（３）前記（１）によって、構造が簡単であるので、比較的容易に製造することができる。
【００２９】
（４）請求項２はハカマ部材と筒部材とを持って回動させることにより、自動的に開閉蓋を開閉するとともに、口紅等を出没させることができる。
したがって、楽に使用することができる。
【図面の簡単な説明】
【図１】本発明の第１の実施の形態の斜視図。
【図２】本発明の第１の実施の形態の開蓋状態の斜視図。
【図３】本発明の第１の実施の形態の断面図。
【図４】本発明の第１の実施の形態の固定部材の説明図。
【図５】本発明の第１の実施の形態の使用状態の断面図。
【図６】本発明の第２の実施の形態の断面図。
【図７】本発明の第２の実施の形態の固定部材の説明図。
【図８】本発明の第２の実施の形態の使用状態の断面図。
【図９】本発明の第３の実施の形態の斜視図。
【図１０】本発明の第３の実施の形態の開蓋状態の斜視図。
【図１１】本発明の第３の実施の形態の断面図。
【図１２】本発明の第３の実施の形態の固定部材の説明図。
【図１３】本発明の第３の実施の形態の使用状態の断面図。
【符号の説明】
１：ハカマ部材、      ２：筒部材、
３：傾斜面、          ４：スカート部、
５：皿部材、          ６：口紅、
７：ガイド溝、        ８：係合片、
９：口紅等の上下移動機構、
１０：ねじ部、      １１：係合片、
１２：リング状の係合溝、
１３、１３Ａ、１３Ｂ：固定部材、
１４：可動部材としてのねじ棒、
１５、１５Ａ：開閉レバー、
１６：付勢スプリング、
１７：開閉蓋、      １８：挿入孔、
１９、１９Ａ：係合部、
２０、２０Ａ：係合部、
２１、２１Ａ、２１Ｂ：口紅収納容器、
２２：ウオーム状のねじ部、
２３：螺合片、      ２４：枢支ピン、
２５：螺合部、      ２６：透孔、
２７：付勢バネ、    ２８：操作釦。
【図１】
0003792761.tif 000002
【図２】
0003792761.tif 000003
【図３】
0003792761.tif 000004
【図４】
0003792761.tif 000005
【図５】
0003792761.tif 000006
【図６】
0003792761.tif 000007
【図７】
0003792761.tif 000008
【図８】
0003792761.tif 000009
【図９】
0003792761.tif 000010
【図１０】
0003792761.tif 000011
【図１１】
0003792761.tif 000012
【図１２】
0003792761.tif 000013
【図１３】
0003792761.tif 000014